(57)【特許請求の範囲】
【請求項１】
生花に防腐処理を施したプリザーブドフラワの花冠に該生花の茎よりも剛性が高い模造の茎を取り付け、該模造の茎に複数の模造の葉を互いに距離をもって取り付けた供花を多数、
後方から前方に向かって傾斜が徐々に急になるように下向きに形成されたスロープ状の供花台に、前記茎の末端部を該スロープの面に垂直に差し込むことにより取り付けたことを特徴とする葬祭用祭壇。
【請求項２】
前記供花台が階段状に上下に複数段配置され、
隣接する供花台同士が、上側の供花台の花冠のうちの最下部にあるものが下側の供花台の花冠のうちの最上部にあるものよりも上に位置するように配置されていることを特徴とする請求項１に記載の葬祭用祭壇。
【発明の詳細な説明】
【技術分野】
【０００１】
本発明は葬祭用の祭壇に関する。
【背景技術】
【０００２】
葬祭用の祭壇は、参列者に豪華で荘厳な印象を与えるために、生花又は造花から成る多数の供花を飾ったものが主流となっている。特許文献１及び２には、後方から前方に向かって傾斜が徐々に急になるように下向きに形成されたスロープ状の供花台を有する祭壇が記載されている。このように祭壇をスロープ状にすることにより、祭壇が奥行きのある外観を呈するようになり、より豪華・荘厳な印象を参列者に与える。
【０００３】
このうち特許文献１の葬祭用祭壇では生花が用いられており、スロープに設けられた多数の孔に1輪ずつ、萼の直下まで茎を挿入することにより固定されている。従って、茎及び葉は、スロープの上面には現れず、参列者には見えない。葬祭用の花には一般に白色のもののみが用いられることから、特許文献１の葬祭用祭壇は茎や葉の緑色がなく、白色１色で埋められてしまい、見た目の自然さを欠くこととなる。また、生花は購入時の価格が高いうえ、日持ちがせず再利用できないため、コストが高いという欠点を有する。
【０００４】
一方、特許文献２の葬祭用祭壇では造花が用いられており、スロープに設けられた多数の孔に1輪ずつ、葉が付いた茎をその葉の下まで挿入することにより固定されている。この葬祭用祭壇では、参列者には花の白色と共に茎や葉の緑色も見えるが、造花を用いているため、豪華さ・荘厳さの点では生花を用いる場合よりも劣る。
【先行技術文献】
【特許文献】
【０００５】
【特許文献１】特開平3-207312号公報
【特許文献２】特開2001-137105号公報
【特許文献３】特表平4-505766号公報
【発明の概要】
【発明が解決しようとする課題】
【０００６】
本発明が解決しようとする課題は、豪華・荘厳であり、自然な印象を与える葬祭用祭壇を提供することである。
【課題を解決するための手段】
【０００７】
上記課題を解決するために成された本発明に係る葬祭用祭壇は、
生花に防腐処理を施したプリザーブドフラワの花冠に該生花の茎よりも剛性が高い模造の茎を取り付け、該模造の茎に複数の模造の葉を互いに距離をもって取り付けた供花を多数、
後方から前方に向かって傾斜が徐々に急になるように下向きに形成されたスロープ状の供花台に、前記茎の末端部を該スロープの面に垂直に差し込むことにより取り付けたことを特徴とする。
【０００８】
プリザーブドフラワは、例えば生花の組織水を低分子ポリマー等の不代謝性の物質に置換する処理を行うこと等により、生花に防腐処理を施した花であり、生花と同様のみずみずしさや風合いを長期間保つようにしたものである（例えば特許文献３参照）。本発明では、プリザーブドフラワの花冠（花弁の集まり）に模造の茎及び葉を取り付けた供花を用いているため、参列者には、プリザーブドフラワの花冠の合間を通して模造の茎及び葉が見える。そのため、花冠の色だけではなく茎及び葉の緑色が見えるため、より自然な印象を参列者に与えると共に、模造の茎及び葉はさほど目立たないため、豪華さ・荘厳さを損ねることがない。
【０００９】
また、生花の茎よりも剛性が高い模造の茎を用いているため、生花を用いた場合よりも茎が撓みにくい。これにより、スロープの傾斜が急な所に取り付けられた供花が花冠の重みによって垂れ下がることを抑えることができるため、荘厳さを損ねることがない。
【００１０】
前記供花台は階段状に上下に複数段配置され、隣接する供花台同士は、上側の供花台の花冠のうちの最下部にあるものが下側の供花台の花冠のうちの最上部にあるものよりも上に位置するように配置されていることが望ましい。これにより、これら供花台に取り付けられた花冠は、隣接する供花台間で重なることがなく、全て参列者に見えるように飾り付けることができる。そのため、葬祭用祭壇の豪華・荘厳さをより高めることができる。
【発明の効果】
【００１１】
本発明に係る葬祭用祭壇では、茎が垂れ下がることがないうえ、模造の茎及び葉が目立たず、見た目が天然の花に近いプリザーブドフラワの花冠が目立つため、豪華・荘厳な外観を呈する。また、花の色のみならず茎や葉の緑色が見えるため、自然な印象を参列者に与えることができる。
【図面の簡単な説明】
【００１２】
【図１】本発明に係る葬祭用祭壇の一実施例の概略構成を示す正面図。
【図２】本実施例の葬祭用祭壇を示す側面図。
【図３】本実施例で用いる供花の一例を示す概略図。
【図４】本実施例の葬祭用祭壇における、載置台を含む断面の図。
【図５】本実施例の葬祭用祭壇における、供花が取り付けられたスロープの拡大正面図。
【発明を実施するための形態】
【００１３】
図１〜図５を用いて、本発明に係る葬祭用祭壇の一実施例を説明する。
【実施例】
【００１４】
本実施例の葬祭用祭壇１０は、図１に示すように3段の階段状の構造を有する。それら3段のうちの上段では、中央に設けられた寺社風の装飾物１４１の両側部に上段供花台１１が配置されている。中段では、中央に設けられた、遺影等の載置台１４２の両側部に中段供花台１２が配置されている。下段では、全体に亘って下段供花台１３が配置されている。
【００１５】
上段供花台１１、中段供花台１２及び下段供花台１３は同一の構成を有している（以下、これら3台を単に「供花台」と称する）。これら供花台は、図２に側面図で示すように、後方から前方に向かって傾斜が徐々に急になるように下向きにスロープ１４が形成されている。本実施例では、スロープ１４はほぼ円弧形であり、その上端（後端）ではほぼ水平であり、下端（前端）ではほぼ鉛直方向を向いている。スロープ１４の表面には、供花２０が多数、その茎２２がスロープの面に対してほぼ垂直になるように取り付けられている。スロープ１４には、プラスチック製であって茎２２を差し込むための孔を設けたものや、発泡スチロール製のもの等を用いることができる。
【００１６】
供花２０は、プリザーブドフラワの花冠２１の下に、模造の茎２２を取り付け、更にその茎２２に模造の葉２３を取り付けたものである。本実施例では、花冠２１は、葬祭によく用いられる白色の菊を防腐処理したものを用いた。茎２２には太さが約5mmである緑色のプラスチック製の棒を用いた。この茎２２は、花冠２１を取り付けた状態で水平にしてもほとんど撓まず、生花の茎よりも剛性が高い。なお、茎２２には、プラスチック製のものの代わりに、緑色に着色した、又は緑色のテープ若しくは緑色のプラスチック等で被覆した針金を用いてもよい。茎２２には、それよりもやや濃い緑色である布製の葉２３が複数取り付けられている。なお、葉２３は、茎２２とは異なり剛性を高くする必要はない。葉２３には、布製のものの代わりに、例えば紙製やプラスチック製のものも用いることができる。
【００１７】
上段供花台１１と中段供花台１２は、上段供花台１１に取り付けられた供花２０のうち最下部にある花冠２１Ａが、中段供花台１２に取り付けられた供花２０のうち最上部にある花冠２１Ｂよりも上に位置するように、それら供花台を載置する台（高さ調整台）１５の高さが調整されている。従って、上段供花台１１に取り付けられた供花２０の花冠２１は全て、中段供花台１２の供花２０で隠されることなく、参列者に見えることとなる。また、上段供花台１１と中段供花台１２は前後方向に、供花２０の長さ以上、間を空けて配置されている。そのため、上段供花台１１の供花２０が中段供花台１２の供花２０の上に覆い被さることがなく、中段供花台１２の供花２０に上段供花台１１の供花２０の影がかかることを防ぐことができる。ここまで上段供花台１１と中段供花台１２の位置関係を説明したが、中段供花台１２と下段供花台１３の位置関係も同様である。
【００１８】
なお、中段供花台１２は、載置台１４２が設けられている位置では、載置台１４２に載置された物で隠れるスロープ１４の下方には供花２０が取り付けられていない（図４。この図では上段供花台１１の図示を省略した）。
【００１９】
本実施例の葬祭用祭壇１０は、図５の正面図に示すように、プリザーブドフラワの花冠２１の間に模造の茎２２及び葉２３が見える。従って、見た目が生花に近いプリザーブドフラワの花冠２１が一番よく目立つ一方、模造の茎２２及び葉２３はあまり目立たない。そのため、豪華・荘厳な印象を参列者に与える。一方、模造の茎２２及び葉２３はあまり目立たないとはいえ、それらの緑色が、白色であるプリザーブドフラワの花冠２１の合間から見えるため、自然な印象を与えることができる。
【符号の説明】
【００２０】
１０…葬祭用祭壇
１１…上段供花台
１２…中段供花台
１３…下段供花台
１４…スロープ
１４１…装飾物
１４２…載置台
１５…高さ調整台
２０…供花
２１、２１Ａ、２１Ｂ…プリザーブドフラワの花冠
２２…模造の茎
２３…模造の葉
【図１】
0005385882.tif 000002
【図２】
0005385882.tif 000003
【図３】
0005385882.tif 000004
【図４】
0005385882.tif 000005
【図５】
0005385882.tif 000006